(57)【要約】【課題】番組の録画予約、再生および消去を簡単に行なうことができるデータ記録再生装置を提供する。【解決手段】情報記録再生装置１００は、操作部２からの入力に応じて、日付と録画時間を対応づけて、複数の矩形領域を構成情報にしたがって行列状に表示するためのＯＳＤ画像生成回路２０を備え、録画予約モードにおいて、操作部２からの入力に応じて、メニュー画面上の複数の矩形領域のうちのいずれか１つを選択し、チャンネルの入力に応じて、入力されたチャンネル、および、選択された矩形領域に対応した日付ならびに録画時間とに基づいて予約データを生成して、録画テーブルに登録する。【選択図】        図１
2005045412.tif 000002
【特許請求の範囲】
【請求項１】
チャンネルに対応する番組データを受信するための受信手段と、
録画および再生の動作に関連する情報を格納するための記憶手段と、
外部からの入力指示を受けるための入力手段と、
日時を計測するための計時手段と、
前記録画および前記再生の動作を制御するための制御手段とを備えるデータ記録再生装置において、
前記記憶手段は、所定の動作モードにおいて、メニュー画面上に複数の所定形状の領域を行列状に表示する表示画像を構成するための構成情報と予約データが登録される録画テーブルとを格納し、
前記制御手段は、
前記入力手段からの入力に応じて、前記メニュー画面として、過去の所定の日時から未来の所定の日時までに対応づけて、複数の前記所定形状の領域を前記構成情報にしたがって行列状に表示する信号を生成するための表示画像生成手段と、
前記所定の動作モードにおいて、前記入力手段からの入力に応じて、前記メニュー画面上の複数の前記所定形状の領域のうちのいずれか１つを選択するための選択制御手段と、
前記入力手段からの入力に応じて、入力された前記チャンネルおよび選択された前記所定形状の領域に対応した録画日時とに基づいて前記予約データを生成して、前記録画テーブルに登録するための録画予約手段と、
計測された前記日時が前記予約データにおいて設定される前記録画日時となることに応じて、指定される前記チャンネルに対応する前記番組データの前記記憶手段への録画を指示するための録画指示手段と、
前記所定の動作モードにおいて、前記入力手段からの入力に応じて、前記メニュー画面上の選択された前記所定形状の領域に対応する録画済みの前記予約データに基づいて、前記予約データに対応する前記番組データの前記記憶手段からの再生を指示するための再生指示手段とを含むことを特徴とする、データ記録再生装置。
【請求項２】
録画予約モードを動作モードとして有するデータ記録再生装置であって、
チャンネルに対応する番組データを受信するための受信手段と、
外部からの入力指示を受けるための入力手段と、
日時を計測するための計時手段と、
前記データ記録再生装置の動作に関連する情報を格納するための記憶手段とを備え、
前記記憶手段は、前記録画予約モードにおいて、メニュー画面上に複数の所定形状の領域を行列状に表示する表示画像を構成するための構成情報と予約データが登録される録画テーブルとを格納し、
前記データ記録再生装置の動作を制御するための制御手段をさらに備え、
前記制御手段は、
前記入力手段からの入力に応じて、前記メニュー画面として、日時に対応付けて、複数の前記所定形状の領域を前記構成情報にしたがって行列状に表示する信号を生成するための表示画像生成手段と、
前記録画予約モードにおいて、前記入力手段からの入力に応じて、前記メニュー画面上の複数の前記所定形状の領域のうちのいずれか１つを選択するための選択制御手段と、
前記入力手段からの入力に応じて、入力された前記チャンネルおよび選択された前記所定形状の領域に対応した録画日時に基づいて前記予約データを生成して、前記録画テーブルに登録するための録画予約手段と、
前記計時手段により計測された前記日時が設定された前記録画日時となることに応じて、前記受信手段により受信される前記番組データの前記記憶手段への録画を指示するための録画指示手段とを含む、データ記録再生装置。
【請求項３】
複数の前記所定形状の領域に対応付ける前記日時は、過去の所定の日時から未来の所定の日時までを含み、
前記制御手段は、前記入力手段からの入力に応じて、前記メニュー画面上の選択された前記所定形状の領域に対応する録画済みの前記予約データに基づいて、前記予約データに対応する前記番組データを再生するための再生手段をさらに含む、請求項２記載のデータ記録再生装置。
【請求項４】
前記制御手段は、前記予約データに含まれる前記録画日時から前記計時手段により計測される日時までの期間が所定長となることに応じて、前記予約データと前記予約データに対応する前記番組データとを消去するための録画データ消去手段をさらに含む、請求項３記載のデータ記録再生装置。
【請求項５】
前記予約データは、再生の有無を示す再生フラグを含み、
前記制御手段は、
前記番組データが前記再生手段により再生されることに応じて、再生される前記番組データに対応する前記予約データに含まれる前記再生フラグを変更するための再生フラグ変更手段と、
前記録画予約モードにおいて、前記計時手段により計測される前記日時と前記再生フラグとに基づいて、前記予約データに対応する前記メニュー画面上の前記所定形状の領域の表示色を変更するための表示色変更手段をさらに含む、請求項３記載のデータ記録再生装置。
【請求項６】
前記表示画像生成手段は、前記計時手段により計測される前記日時に対応する曜日を行列状に表示される複数の前記所定形状の領域における中央の行および中央の列のうちのいずれか一方に対応付ける、請求項３記載のデータ記録再生装置。
【請求項７】
前記表示画像生成手段は、行列状に表示される複数の前記所定形状の領域における各行および各列のうちのいずれか一方に対して、設定された時間から第１の所定の時間間隔毎の時間を対応付け、
前記制御手段は、前記入力手段からの入力に応じて、前記第１の時間間隔よりも短い第２の時間間隔で予約設定を可能とする録画時間設定手段をさらに含む、請求項２記載のデータ記録再生装置。
【請求項８】
前記記憶手段は、
前記構成情報と前記録画テーブルとを格納するための第１の記憶手段と、
前記番組データを格納するための第２の記憶手段とを含む、請求項２記載のデータ記録再生装置。
【発明の詳細な説明】
【０００１】
【発明の属する技術分野】
本発明は、テレビジョン放送の録画予約の機能を有する録画・再生を行なうためのデータ記録再生装置に関し、特に、録画予約の情報表示の構成に関する。
【０００２】
【従来の技術】
従来、録画予約機能を有するデータ記録再生装置において、使用者が少なくとも録画開始時刻、録画終了時間（あるいは、録画時間）および録画するテレビジョン放送のチャンネルを指定することにより、録画予約を行なうことができる。
【０００３】
また、録画予約時の録画情報をテレビモニタに表示させて録画予約を行なうことができる録画予約装置がある。
【０００４】
たとえば、録画予約装置について、第１の従来例としては、容易に録画の操作を行なうことができる録画予約装置について、以下の構成が公知である（たとえば、特許文献１参照）。
【０００５】
すなわち、第１の従来例において、アンテナからのテレビ電波は、録画予約装置を介して、画像信号へ変換されテレビモニタへ供給される。また、テレビ電波は、録画予約装置のチューナへ供給され、複数の電波の中から選択および増幅された電波が画像信号へ変換され、ストレージメディア、スイッチへ供給される。そして、リモコン受光部を介して供給されたコマンドに応じて、マイコンは、チューナ、ストレージメディア、スイッチ、ディスプレイコントローラを制御する。ディスプレイコントローラは、録画予約カレンダー等をテレビモニタに表示させるための信号を出力する。加算器では、その信号と画像信号が重畳され、重畳された信号は、テレビモニタへ供給される。
【０００６】
また、第２の従来例としては、番組の録画予約を簡便に行なうための画像処理装置についての構成が公知である（たとえば、特許文献２参照）。
【０００７】
すなわち、第２の従来例において、録画済みの番組、録画中の番組および録画予約された番組が、それぞれカレンダー上に表示された領域上に対応する時間帯に合わせて表示される。ユーザは、カーソルを移動させることにより所望の番組を選択し、再生させる。また、ユーザは、所望の時間帯にカーソルを移動させることにより、所望の番組の録画予約を行なう。同一の時間帯を複数の日にわたって録画予約する場合、所定のボタンを押下しながら、カーソルを移動させることにより行なわれる。
【０００８】
【特許文献１】
特開平１０−１１２０８７号公報明細書
【０００９】
【特許文献２】
特開２０００−２７８６３９号公報明細書
【００１０】
【発明が解決しようとする課題】
しかしながら、使用者にとって、録画開始時間、録画終了時間および録画チャンネルを指定して録画予約を行なうことは、複雑で困難である。また、録画した番組を再生、あるいは、消去する場合に、使用者がどの日時のどのチャンネルを録画した番組か、そして、すでに視聴した番組であるか否かを判別することについても、困難である。
【００１１】
本発明は、上記のような課題を解決するためになされたものであって、その目的は、番組の録画予約、再生および消去を簡単に行なうことができるデータ記録再生装置を提供することである。
【００１２】
【課題を解決するための手段】
上記目的を達成するために、本発明の１つの局面に従うと、チャンネルに対応する番組データを受信するための受信手段と、録画および再生の動作に関連する情報を格納するための記憶手段と、外部からの入力指示を受けるための入力手段と、日時を計測するための計時手段と、録画および再生の動作を制御するための制御手段とを備えるデータ記録再生装置において、記憶手段は、所定の動作モードにおいて、メニュー画面上に複数の所定形状の領域を行列状に表示する表示画像を構成するための構成情報と予約データが登録される録画テーブルとを格納し、制御手段は、入力手段からの入力に応じて、メニュー画面として、過去の所定の日時から未来の所定の日時までに対応づけて複数の所定形状の領域を構成情報にしたがって行列状に表示する信号を生成するための表示画像生成手段と、所定の動作モードにおいて、入力手段からの入力に応じて、メニュー画面上の複数の所定形状の領域のうちのいずれか１つを選択するための選択制御手段と、入力手段からの入力に応じて、入力されたチャンネルおよび選択された所定形状の領域に対応した録画日時とに基づいて予約データを生成して、録画テーブルに登録するための録画予約手段と、計測された日時が予約データにおいて設定される録画日時となることに応じて、指定されるチャンネルに対応する番組データの記憶手段への録画を指示するための録画指示手段と、所定の動作モードにおいて、入力手段からの入力に応じて、メニュー画面上の選択された所定形状の領域に対応する録画済みの予約データに基づいて、予約データに対応する番組データの記憶手段からの再生を指示するための再生指示手段とを含む。
【００１３】
この発明の他の局面に従うと、録画予約モードを動作モードとして有するデータ記録再生装置であって、チャンネルに対応する番組データを受信するための受信手段と、外部からの入力指示を受けるための入力手段と、日時を計測するための計時手段と、データ記録再生装置の動作に関連する情報を格納するための記憶手段とを備え、記憶手段は、録画予約モードにおいて、メニュー画面上に複数の所定形状の領域を行列状に表示する表示画像を構成するための構成情報と予約データが登録される録画テーブルとを格納し、データ記録再生装置の動作を制御するための制御手段をさらに備え、制御手段は、入力手段からの入力に応じて、メニュー画面として、日時に対応付けて、複数の所定形状の領域を構成情報にしたがって行列状に表示する信号を生成するための表示画像生成手段と、録画予約モードにおいて、入力手段からの入力に応じて、メニュー画面上の複数の所定形状の領域のうちのいずれか１つを選択するための選択制御手段と、入力手段からの入力に応じて、入力されたチャンネルおよび選択された所定形状の領域に対応した録画日時に基づいて予約データを生成して、録画テーブルに登録するための録画予約手段と、計時手段により計測された日時が設定された録画日時となることに応じて、受信手段により受信される番組データの記憶手段への録画を指示するための録画指示手段とを含む。
【００１４】
好ましくは、複数の所定形状の領域に対応付ける日時は、過去の所定の日時から未来の所定の日時までを含み、制御手段は、入力手段からの入力に応じて、メニュー画面上の選択された所定形状の領域に対応する録画済みの予約データに基づいて、予約データに対応する番組データを再生するための再生手段をさらに含む。
【００１５】
好ましくは、制御手段は、予約データに含まれる録画日時から計時手段により計測される日時までの期間が所定長となることに応じて、予約データと予約データに対応する番組データとを消去するための録画データ消去手段をさらに含む。
【００１６】
好ましくは、予約データは、再生の有無を示す再生フラグを含み、制御手段は、番組データが再生手段により再生されることに応じて、再生される番組データに対応する予約データに含まれる再生フラグを変更するための再生フラグ変更手段と、録画予約モードにおいて、計時手段により計測される日時と再生フラグとに基づいて、予約データに対応するメニュー画面上の所定形状の領域の表示色を変更するための表示色変更手段をさらに含む。
【００１７】
好ましくは、表示画像生成手段は、計時手段により計測される日時に対応する曜日を行列状に表示される複数の所定形状の領域における中央の行および中央の列のうちのいずれか一方に対応付ける。
【００１８】
好ましくは、表示画像生成手段は、行列状に表示される複数の所定形状の領域における各行および各列のうちのいずれか一方に対して、設定された時間から第１の所定の時間間隔毎の時間を対応付け、制御手段は、入力手段からの入力に応じて、第１の時間間隔よりも短い第２の時間間隔で予約設定を可能とする録画時間設定手段をさらに含む。
【００１９】
好ましくは、記憶手段は、構成情報と録画テーブルとを格納するための第１の記憶手段と、番組データを格納するための第２の記憶手段とを含む。
【００２０】
【発明の実施の形態】
以下、図面を参照しつつ本発明の実施の形態について詳細に説明する。以下の説明では、同一の構成部分には同一の符号を付してあり、それらの名称および機能も同じである。したがって、それらについて詳細な説明は繰り返さない。
【００２１】
図１は、本発明のデータ記録再生装置の一例である情報記録再生装置１００の構成を示すための機能ブロック図である。
【００２２】
図１を参照して、情報記録再生装置１００は、ユーザからの指示入力を受けるための操作部２と、テレビジョン放送に含まれるアナログテレビジョン信号（以下、ＴＶ信号とする。）を受信するためのチューナ６と、チューナ６から供給されるＴＶ信号を動画像デジタルデータ（以下、動画像データとする。）にエンコードするためのＭＰＥＧ（Ｍｏｖｉｎｇ  Ｐｉｃｔｕｅｒ  Ｅｘｐｅｒｔ  Ｇｒｏｕｐ）エンコーダ８と、動画像データを格納するためのハードディスク装置１０と、動画像データをＴＶ信号にデコードするためのＭＰＥＧデコーダ１２と、外部機器と接続するための出力端子１４と、情報記録再生装置１００の動作を制御するための制御部１６と、不揮発的にデータの書き込みと読み出しとを行なうためのメモリ４とを備える。また、ＴＶ信号は、少なくとも映像信号を含む。そして、チューナ６において受信される信号がデジタル信号である場合、ＭＰＥＧエンコーダ８によるエンコード処理を省略してもよい。
【００２３】
制御部１６は、時刻を計測するためのタイマ２６を有するシステム制御回路１８と、メニュー画面を生成するためのＯＳＤ（Ｏｎ  Ｓｃｒｅｅｎ  Ｄｉｓｐｌａｙ）画像生成回路２０を含む。なお、メモリ４は、システム制御回路１８の内部に含まれていてもよい。また、タイマ２６により計測される時刻は、情報記録再生装置１００の筐体に備わる表示装置（図示せず）により表示されてもよいし、あるいは、出力端子１４を介して、ＯＳＤ画像生成回路２０により生成される時刻の表示画像を外部の機器に出力してもよい。
【００２４】
また、ハードディスク装置１０は、動画像データを構成している時間軸に沿って再生される複数のフレームにそれぞれ対応し、動画像データに含まれる複数の符号化フレームデータを、アドレスと相互に関連付けて格納するためのハードディスク２２と、ハードディスク２２からデータの書き込みおよび読み出しを行なうための記録・再生ヘッド２４とを含む。
【００２５】
ただし、本発明の実施の形態における情報記録再生装置１００は、ハードディスク装置１０に動画像データを格納することに特に限定されない。すなわち、脱着可能な記録媒体に格納することとしてもよい。脱着可能な記録媒体とは、たとえば、ＤＶＤ（Ｄｉｇｉｔａｌ  Ｖｅｒｓａｔｉｌｅ  Ｄｉｓｃ）である。あるいは、脱着可能な記録媒体は、ＳＤカード等の不揮発性のメモリーカードでもよい。
【００２６】
次に、本発明の実施の形態における情報記録再生装置１００の動作についての説明を行なう。
【００２７】
ユーザが操作部２を用いて各種操作を行なうことにより、システム制御回路１８は、各種操作に基づいて、情報記録再生装置１００を動作させることができる。
【００２８】
「各種操作」とは、たとえば、チャンネル（以下、ＣＨとする。）指定操作、録画予約操作、録画済み番組指定操作、録画指令操作、再生指令操作、録画停止操作、再生停止操作、録画済み番組消去操作等である。
【００２９】
また、操作部２は、ユーザの操作に応じて、各種操作信号をシステム制御回路１８に供給する。なお、操作部２は、情報記録再生装置１００とは分離しているリモートコントローラ（図示せず）であってもよい。
【００３０】
ユーザにより操作部２にチャンネルの変更の指示が入力されるときに、システム制御回路１８からアナログテレビジョン放送（ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式、ＰＡＬ（Ｐｈａｓｅ  Ａｌｔｅｒｎａｔｉｏｎ  ｂｙ  Ｌｉｎｅ）方式、またはＳＥＣＡＭ（ＳＥｑｕｅｎｔｉａｌ  Ｃｏｕｌｅｕｒ  Ａ  Ｍｅｍｏｉｒｅ）方式）等のＣＨ指定信号がチューナ６に供給される。チューナ６は、指定されたＣＨに対応するアナログテレビジョン放送波を受信する。このとき、チューナ６は、受信したアナログテレビジョン放送波を復調して得たＴＶ信号をＭＰＥＧエンコーダ８に供給する。ＭＰＥＧエンコーダ８は、システム制御回路１８のエンコード制御信号に基づいて、ＴＶ信号に対してＭＰＥＧ符号化処理を施す。ＭＰＥＧ符号化処理が施されたＴＶ信号は、動画像データに変換される。そして、動画像データは、システム制御回路１８により、ハードディスク装置１０に書き込まれる。ハードディスク装置１０は、動画像データを書き込むとともに、システム制御回路１８の読み出し制御信号により、書き込まれた動画像データの読み出しも行なう。そして、ＭＰＥＧデコーダ１２は、システム制御回路１８のデコード制御信号に基づいて、読み出された動画像データに対して、ＭＰＥＧ復号処理を施す。ＭＰＥＧ復号処理が施された動画像データは、ＴＶ信号に変換される。変換されたＴＶ信号は、出力端子１４を介して外部機器に出力される。外部機器としては、特に限定されないが、たとえば、ディスプレイ装置２００である。
【００３１】
ＯＳＤ画像生成回路２０は、システム制御回路１８から供給された各種情報表示信号に応じた画像を表示させるための情報表示画像を生成する。そして、生成された情報表示画像は、映像信号として出力端子１４を介して外部に出力される。なお、情報表示画像とは、たとえば、ユーザが番組の録画予約を行なうためのメニュー画面を含む。
【００３２】
ディスプレイ装置２００は、出力端子１４から出力された映像信号に基づいてＯＳＤ画像生成回路２０により生成される情報表示画像の表示を行なう。
【００３３】
また、情報記録再生装置１００は、動作モードとして、ユーザが録画予約を行なうためのメニュー画面を映像信号としてディスプレイ装置２００に出力して表示させるための録画予約モードを有する。
【００３４】
次に、本発明の実施の形態における情報記録再生装置１００が有する録画予約モードにおいて、出力されるメニュー画面についての説明を行なう。
【００３５】
ユーザの操作部２への操作による録画予約のメニュー画面の起動の操作信号に応じて、システム制御回路１８は、ＯＳＤ画像生成回路２０により録画予約を行なうためのメニュー画面を生成させる。このとき、番組の録画予約モードの種類としては、簡単録画予約と通常録画予約とを含む。
【００３６】
「通常録画予約」とは、ユーザが、少なくともＣＨ、録画する日付、録画開始時間および録画終了時間を直接入力することにより、録画予約ができる録画予約モードである。
【００３７】
一方、「簡単録画予約」とは、メニュー画面上に行列状に表示された複数の所定形状の領域に日付と時間帯と対応付けて出力させる録画予約モードである。すなわち、ユーザは、複数の所定形状の領域のうちの１つを選択することにより、特定の日付、時間帯を選択できる。そして、ユーザの操作部２の操作により選択される所定形状の領域において、ＣＨ入力をすることにより、録画予約を行なうことができる。
【００３８】
以下、本発明の実施の形態における情報記録再生装置１００の簡単録画予約の録画予約モードにおけるメニュー画面の構成ついての説明を行なう。
【００３９】
メニュー画面を起動したときに、メニュー画面上には、過去の所定の日時から未来の所定の日時までに対応する複数の所定形状の領域が行列状に表示される。
【００４０】
図２および図３は、簡単録画予約の録画予約モードにおけるメニュー画面の一例を示す図である。
【００４１】
図２を参照して、ユーザによる簡単録画予約のメニュー画面の起動入力指示の操作信号に応じて、システム制御回路１８は、簡単録画予約のメニュー画面を起動させる。メニュー画面上に先週および今週の日付と時間に対応付いた複数の矩形領域が表示される。そして、先週に録画予約した番組および今週に録画予約した番組の状態に応じた表示色で表示される。ただし、先週および今週の日付と時間を対応付ける領域は、矩形に特に限定されるものではない。たとえば、正方形でもひし形でもよいし、円形でもよいものとする。
【００４２】
そして、図３を参照して、ユーザにより所定の操作信号に応じて、先々週の日付と時間に対応付いた複数の矩形領域が表示される。このとき、先々週に録画予約した番組の状態に応じた表示色で表示される。
【００４３】
「状態に応じた表示色」とは、たとえば、録画済みでかつ未再生の番組、録画済みでかつ再生済みの番組、録画予定の番組、録画中の番組等の状態に応じて変更された表示色である。
【００４４】
ここで、図２および図３のメニュー画面をシステム制御回路１８が表示させる動作について説明する。
【００４５】
ＯＳＤ画像生成回路２０は、複数の矩形領域を行列状に表示して簡単録画予約のメニュー画面を生成する。このとき、システム制御回路１８は、行列状に表示される複数の矩形領域の各行に対して曜日を対応付ける。また、システム制御回路１８は、各列に対して時間を対応付ける。ただし、各行に対して曜日を対応付けることに特に限定されない。たとえば、各列に対して曜日が対応付けられてもよい。このとき、各行に時間が対応付けられてもよい。
【００４６】
各行に対して対応付けられる時間は、設定された時間から所定の時間間隔毎の時間である。すなわち、各行に対して対応付けられる時間は、特に限定されるものではないが、たとえば、午後６時から午後１２時までに１時間毎の時間である。
【００４７】
一方、各列に対して対応付けられる曜日は、今日の日付を含む曜日である。すなわち、システム制御回路１８は、特に限定されるものではないが、たとえば、簡単録画予約のメニュー画面を起動するときに、今日の日付に対応する曜日を図２におけるメニュー画面の中央の列に対して対応付ける。そして、システム制御回路１８は、他の列に対して今日の日付を起点に前後１週間の曜日を対応付ける。また、同様に、図３の先々週のメニュー画面の複数の矩形領域に対しても時間と曜日を対応付ける。このとき、図３の複数の矩形領域の各列に対しては、図２における複数の矩形領域の中央の列を起点に、曜日を対応付ける。
【００４８】
表示されるそれぞれの矩形領域に対応する行列に対して、曜日と時間とを対応付ける一例として、行列に対して曜日と時間とを対応付けた管理テーブルを用いる方法を例にとって説明する。
【００４９】
図４は、簡単録画予約のメニュー画面上に表示される複数の矩形領域に対応する行列の管理テーブルを示す図である。
【００５０】
図４を参照して、システム制御回路１８は、簡単録画予約のメニュー画面上に表示される複数の矩形領域に対応する行列に、時間と曜日をそれぞれ対応付ける。このとき、システム制御回路１８は、少なくともタイマ２６により計測される日時が変更された以降で、簡単録画予約のメニュー画面が起動するまでに管理テーブルを生成、あるいは、更新を行なう。なお、管理テーブルは、特に限定されるものではないが、メモリ４に格納されていてもよいし、動画像データが格納されるハードディスク装置１０、あるいは、脱着可能な記録媒体に格納されていてもよい。
【００５１】
管理テーブルを生成するとき、まず、システム制御回路１８は、メニュー画面上の中央の列の矩形領域に対応する列に対して、タイマ２６により計測される今日の日付を対応付ける。そして、システム制御回路１８は、中央の列を起点にして、他の列に対して日付を対応付ける。そして、システム制御回路１８は、曜日情報に基づいて、日付に対応する曜日を管理テーブルに追加する。ここで、曜日情報は、メモリ４に格納されていてもよいし、ハードディスク装置１０に格納されていてもよい。また、管理テーブルには、録画予約に関する予約データが登録されている簡単録画テーブルに基づいて、対応する日付と時間帯に録画済みあるいは録画予定の予約があるか否かを示す予約フラグを含む。
【００５２】
図２を再び参照して、ユーザは、簡単録画予約のメニュー画面上に表示されるカーソルを操作部２、あるいは、リモートコントローラを操作することにより移動させることができる。システム制御回路１８は、カーソルを移動させる場合、たとえば、操作部２からの操作信号に応じて、カーソルの位置を表す変数を変更する。そして、ＯＳＤ画像生成回路２０は、操作信号に応じて、変更されるカーソルの位置に応じて、カーソルを再表示させる。
【００５３】
そして、ユーザは、カーソルを移動させることにより、複数の矩形領域のうちの１つを選択することができる。すなわち、ユーザは、特定の曜日、時間帯を選択して、録画予約を行なうことができる。たとえば、ユーザが今日の日付以降の特定の矩形領域にカーソルを移動させて、操作部２にＣＨを入力することにより、特定の曜日、時間帯、ＣＨの録画予約が完了する。
【００５４】
このとき、たとえば、特定の曜日に予約すると、その日以降、毎週同じ曜日に番組を録画するように予約できることとしてもよい。また、カーソルを録画済みの番組、あるいは、録画予約した番組に対応する矩形領域に合わせたとき、システム制御回路１８は、ＯＳＤ画像生成回路２０により対応する録画番組の情報等の詳細を画面上の所定の領域に表示させることもできる。
【００５５】
そして、行列状に表示された矩形領域には、図２で説明したように、今日の日付の前後１週間の録画済みでかつ未再生の番組、録画済みでかつ再生済みの番組、録画予定の番組、録画中の番組がチャンネル表示とともに色分けされて表示される。すなわち、ＯＳＤ画像生成回路２０は、管理テーブルとは別に用意される簡単録画テーブルに基づいて、予約された曜日、時間帯の番組対して、表示色の変更を行なう。このとき、システム制御回路１８は、管理テーブルの予約フラグを参照する。そして、録画済みあるいは録画予定の予約があるとき、システム制御回路１８は、簡単録画テーブルを参照する。そして、ＯＳＤ画像生成回路２０は、参照された簡単録画予約テーブルに基づいて、録画予約のある矩形領域の表示色を変更する。同様に、所定の操作信号に応じて、先々週の録画状況を表示するとき、システム制御回路１８は、管理テーブルの予約フラグを参照する。そして、録画済みの予約があるとき、システム制御回路１８は、簡単録画テーブルを参照する。そして、ＯＳＤ画像生成回路２０は、参照された簡単録画予約テーブルに基づいて、録画予約のある矩形領域の表示色を変更する。
【００５６】
このとき、録画中の番組であれば、システム制御回路１８は、ＯＳＤ画像生成回路２０により録画中の矩形領域を点滅表示させる。また、ＯＳＤ画像生成回路２０は、簡単録画テーブルに予約データが登録されることに応じて、録画予約された予約データに対応する矩形領域の表示色を変更してもよい。
【００５７】
また、ユーザによるカーソルを移動させて録画済みの番組を選択して再生入力指示に基づいて、システム制御回路１８は、選択された録画済みの番組を再生させることができる。
【００５８】
図５は、簡単録画予約の録画予約モードにおいて生成される簡単録画テーブルを示す図である。
【００５９】
図５を参照して、簡単録画テーブルには、簡単録画予約の録画予約モードにおいて、メニュー画面から予約された番組の録画情報等の予約データを含む。予約データには、その再生の有無を示す再生フラグと、ファイル名と、録画を行なう日付と、録画開始時間と、録画終了時間と、録画される番組に対応するＣＨと、番組を録画するときの録画画質を示す録画モードと、メニューに表示される矩形領域の表示区画数とを含む。。なお、簡単録画テーブルは、特に限定されるものではないが、メモリ４に格納されていてもよいし、動画像データが格納されるハードディスク装置１０、あるいは、脱着可能な記録媒体に格納されていてもよい。
【００６０】
ここで、再生フラグは、録画済みの番組が再生済みか未再生かを示す。システム制御回路１８は、複数の矩形領域のうちの録画済みの番組に対応する矩形領域が選択された後の再生入力指示の操作信号に応じて、未再生を示す再生フラグが１である場合、再生フラグを０に上書きする。
【００６１】
また、録画予約を行なうとき、ユーザにより選択された矩形領域に対応する日付と時間と入力されたＣＨとにより、システム制御回路１８は、予約データを生成する。そして、システム制御回路１８は、生成した予約データを録画テーブルに登録する。このとき、システム制御回路１８は、日付と録画開始時間と録画終了時間とＣＨ以外の項目については、初期値とする。
【００６２】
たとえば、表示区画数は、初期値を１とする。すなわち、ユーザにより複数の矩形領域のうちの１つを選択して、ＣＨを入力することにより、対応する時間から１時間間隔の予約を行なうことができる。
【００６３】
また、登録された予約データは、メニュー画面において、ユーザにより、録画番組の詳細情報の変更を行なうことができる。このとき、変更された情報に基づいて、システム制御回路１８は、録画テーブルの対応する予約データを変更する。このとき、システム制御回路１８は、詳細情報の変更において、録画終了時間を各行に対応付けられる時間間隔よりもさらに細かい時間間隔で変更することができる。たとえば、各行に時間が１時間間隔毎に対応づけられている場合、ユーザは、さらに１５分間隔毎に、録画終了時間を変更することができる。
また、システム制御回路１８は、変更された録画開始時間と録画終了時間とに基づいて、表示区画数を変更する。たとえば、システム制御回路１８は、録画開始時間から録画終了時間までの時間が１時間を超え、２時間以下である場合、表示区画数を２に変更する。
【００６４】
図６は、簡単録画予約および通常録画予約の各録画予約モードにおいて録画された録画ファイルのデータテーブルを示す図である。
【００６５】
図６を参照して、システム制御回路１８は、簡単録画予約および通常録画予約の各録画予約モードにおいて、各録画予約モードに応じた録画フラグをデータテーブルに追加する。ここで、簡単録画予約の録画予約モードにおいて録画された録画ファイルは、所定の期間経過後に消去される。すなわち、システム制御回路１８は、予約データに含まれる録画日時からタイマ２６により計測される日時までの期間が所定長となることに応じて、予約データと予約データに対応する録画ファイルとを消去する。所定の期間とは、特に限定されるものではないが、たとえば、２週間である。システム制御回路１８は、消去対象となる録画ファイル検索するときにこの録画フラグを参照する。そして、システム制御回路１８は、簡単録画予約の録画予約モードで録画された録画ファイルのうちの２週間を経過した録画ファイルを消去する。このとき、システム制御回路１８は、タイマ２６により計測される日付が変更されるときに、録画してから所定の期間が経過する予約データと予約データに対応する録画ファイルとを消去する。なお、録画ファイルのデータテーブルは、特に限定されるものではないが、メモリ４に格納されていてもよいし、動画像データが格納されるハードディスク装置１０、あるいは、脱着可能な記録媒体に格納されていてもよい。
【００６６】
一方、通常録画予約の録画予約モードにおいて録画された録画ファイルについては、ユーザによる消去入力指示の操作信号があるまでシステム制御回路１８は、録画ファイルを保存する。
【００６７】
また、システム制御回路１８は、簡単録画予約の録画予約モードにおいて録画された録画ファイルの録画フラグを変更する操作信号により、通常録画予約の録画予約モードにおいて録画された録画ファイルと同様に、消去入力指示の操作信号があるまで保存することもできる。
【００６８】
図７、図８および図９は、ユーザによる起動入力指示の操作信号に応じて、簡単録画予約のメニュー画面を表示させるときの動作のフローチャートの一例を示す。
【００６９】
まず、図７を参照して、システム制御回路１８は、ユーザの操作部２への操作による、簡単録画予約のメニュー画面の起動の操作信号の有無の判断を行なう（ステップＳ１０１）。
【００７０】
ステップＳ１０１において、簡単録画予約のメニュー画面の起動の操作信号がない場合、システム制御回路１８は、簡単録画予約のメニュー画面の起動の操作信号の有無の判断を継続する。
【００７１】
一方、ステップＳ１０１において、簡単録画予約のメニュー画面の起動の操作信号がある場合、システム制御回路１８は、予めメモリ４に格納されたメニュー画面に表示される複数の矩形領域の行列情報、描画開始位置情報、行間情報、列間情報、矩形情報等の読み込みを行なう（ステップＳ１０２）。
【００７２】
次に、ＯＳＤ画像生成回路２０は、行列情報、描画開始位置情報、行間情報、列間情報、矩形情報とに基づいて、メニュー画面上に複数の矩形領域を表示する（ステップＳ１０３）。
【００７３】
そして、システム制御回路１８は、タイマ２６により計測される今日の日付とハードディスク装置１０に格納される曜日情報とに基づいて、行列の中央の列に今日の日付を対応付けて、中央の列を起点に他の列に対応する曜日を算出する（ステップＳ１０４）。
【００７４】
つづいて、システム制御回路１８は、設定された時間から所定の時間間隔毎の各行に対応する時間を算出する（ステップＳ１０５）。
【００７５】
このとき、システム制御回路１８は、メニュー画面上に表示される複数の矩形領域に対応する行列に時間と日付と曜日とをそれぞれ対応付けた管理テーブルを生成する（ステップＳ１０６）。
【００７６】
ただし、ステップＳ１０４からステップＳ１０６までの管理テーブルの生成のフローチャートは、メニュー画面の起動の操作信号に応じて生成されることに特に限定されるものではない。たとえば、タイマ２６により日付が変更されることに応じて、システム制御回路１８は、管理テーブルの更新を行なってもよい。または、タイマ２６により計測される時間が所定の時間となることに応じて、システム制御回路１８は、管理テーブルの更新を行なってもよい。
【００７７】
そして、図８を参照して、ＯＳＤ画像生成回路２０は、管理テーブルを参照してメニュー画面上に行列状に表示される複数の矩形領域の各列に対応する曜日を表示する（ステップＳ１０７）。
【００７８】
つづいて、ＯＳＤ画像生成回路２０は、管理テーブルを参照してメニュー画面上に行列状に表示される複数の矩形領域の各行に対応する時間を表示する（ステップＳ１０８）。
【００７９】
次に、ＯＳＤ画像生成回路２０は、メニュー画面に表示される所定の文字列を文字列情報に基づいて表示する（ステップＳ１０９）。
【００８０】
そして、ＯＳＤ画像生成回路２０は、カーソル初期表示位置情報に基づいて、カーソルを表示する（ステップＳ１１０）。
【００８１】
なお、文字列情報およびカーソル初期表示位置情報は、予めメモリ４に格納されていてもよいし、ハードディスク装置１０に格納されていてもよい。
【００８２】
ここで、システム制御回路１８は、簡単録画テーブルの読み込みを行なう（ステップＳ１１１）。
【００８３】
そして、システム制御回路１８は、管理テーブルと読み込まれた簡単録画テーブルに含まれる予約データとを参照して、録画予約された番組の録画月日に対応する行を特定する（ステップＳ１１２）。
【００８４】
つづいて、システム制御回路１８は、録画番組の録画開始時間に対応する列を特定する（ステップＳ１１３）。
【００８５】
次に、図９を参照して、システム制御回路１８は、予約データに含まれる表示区画数が１より大きいか否かの判断を行なう（ステップＳ１１４）。
【００８６】
ステップＳ１１４において、予約データに含まれる表示区画数が１より大きい場合、ＯＳＤ画像生成回路２０は、表示区画数に基づいて、列方向の矩形領域を削除する。すなわち、たとえば、予約データに含まれる表示区画数が２であれば、ＯＳＤ画像生成回路２０は、参照した予約データに対応する矩形領域の列方向の１つ下にある矩形領域を削除する（ステップＳ１１５）。
【００８７】
そして、ＯＳＤ画像生成回路２０は、予約データに含まれる表示区画数に基づいて、列方向の大きさを変更した矩形領域を表示する（ステップＳ１１６）。
【００８８】
すなわち、たとえば、予約データに含まれる表示区画数が２であれば、ＯＳＤ画像生成回路２０は、予約データに対応する矩形領域を、列方向に矩形領域２つ分を重複する大きさに拡張した矩形領域を表示する。
【００８９】
そして、ＯＳＤ画像生成回路２０は予約データに含まれる録画を行なうＣＨに基づいて、予約データに対応する矩形領域の中央部にＣＨを表示する（ステップＳ１１７）。
【００９０】
一方、ステップＳ１１４において、予約データに含まれる表示区画数が１より小さい場合、システム制御回路１８は、処理をＳ１１７に移行させる。
【００９１】
つづいて、システム制御回路１８は、今日の日付と予約データに含まれる再生の有無の再生フラグとに基づいて、参照した予約データが再生済み、未再生、録画予定、録画中のうちのいずれの状態であるかを判別する。すなわち、システム制御回路１８は、参照した予約データが今日の日付以前に録画され再生されていれば、再生済みの予約データと判断する。そして、システム制御回路１８は、参照した予約データが今日の日付以前に録画され再生されていなければ、未再生の予約データと判断する。また、システム制御回路１８は、参照した予約データが今日の日付以降に録画予定のものであれば、録画予定の予約データと判断する。そして、参照した予約データが今日の日付で現在録画中であれば、録画中の予約データと判断する。
【００９２】
そして、ＯＳＤ画像生成回路２０は、再生済み、未再生、録画予約中、録画中のそれぞれの状態に応じて、予約データに対応する矩形領域の表示色を変更する（ステップＳ１１８）。
【００９３】
次に、システム制御回路１８は、簡単録画テーブル中のすべての予約データをチェックしたかを判断する（ステップＳ１１９）。
【００９４】
ステップＳ１１９において、録画テーブル中のすべての録画データをチェックしていない場合、システム制御回路１８は、処理をステップＳ１１１に戻す。
【００９５】
一方、ステップＳ１１９において、録画テーブル中のすべての録画データをチェックした場合、システム制御回路１８は、処理を完了させる。
【００９６】
図１０および図１１は、簡単録画予約のメニュー画面において、ユーザによる操作信号に応じて、録画予約を行なう動作のフローチャートを示す。
【００９７】
まず、図１０を参照して、システム制御回路１８は、ユーザの操作によりカーソル移動の操作信号とＣＨ入力の操作信号との有無を判断する（ステップＳ２０１）。
【００９８】
ステップＳ２０１において、カーソル移動の操作信号に応じて、システム制御回路１８は、カーソルの表示位置を表わす変数を変更する（ステップＳ２０２）。
【００９９】
そして、ＯＳＤ画像生成回路２０は、変更された変数に基づいて、カーソルをメニュー画面上に再表示する（ステップＳ２０３）。
【０１００】
次に、システム制御回路１８は、処理をステップＳ２０１に戻す。
一方、ステップＳ２０１において、ＣＨ入力の操作信号に応じて、システム制御回路１８は、ユーザの決定の操作信号の有無を判断する（ステップＳ２０４）。
【０１０１】
ステップＳ２０４において、ユーザの決定の操作信号がない場合、システム制御回路１８は、処理をステップＳ２０１に戻す。
【０１０２】
一方、ステップＳ２０４において、ユーザの決定の操作信号がある場合、システム制御回路１８は、決定の操作信号に応じて、カーソルの位置に対応する矩形領域に応じた日付と時間とを管理テーブルから参照して日付と録画開始時間と録画終了時間とを算出する（ステップＳ２０５）。
【０１０３】
つづいて、システム制御回路１８は、簡単録画テーブルに参照した日付と録画開始時間と録画終了時間と入力したＣＨとを予約データとして登録する（ステップＳ２０６）。
【０１０４】
そして、システム制御回路１８は、録画モード、ファイル名、再生フラグおよび表示区画数の初期値を簡単録画テーブルの予約データに追加する（ステップＳ２０７）。
【０１０５】
次に、ＯＳＤ画像生成回路２０は、選択された矩形領域を録画予約の状態に対応する表示色に変更する（ステップＳ２０８）。
【０１０６】
つづいて、図１１を参照して、システム制御回路１８は、ユーザによる詳細情報の変更の操作信号の有無の判断を行なう（ステップＳ２０９）。
【０１０７】
ステップＳ２０９において、ユーザによる詳細情報の変更の操作信号がない場合、システム制御回路１８は、処理を完了させる。
【０１０８】
一方、ステップＳ２０９において、ユーザによる詳細情報の変更の操作信号がある場合、システム制御回路１８は、変更される詳細情報が録画終了時間であるかの判断を行なう（ステップＳ２１０）。
【０１０９】
ステップＳ２１０において、変更される詳細情報が録画終了時間ではない場合、システム制御回路１８は、変更された情報に基づいて、簡単録画テーブルを上書きする（ステップＳ２１１）。
【０１１０】
一方、ステップＳ２１０において、変更される詳細情報が録画終了時間である場合、システム制御回路１８は、録画終了時間に応じて表示区画数を算出して、簡単録画テーブルを上書きする（ステップＳ２１２）。
【０１１１】
そして、システム制御回路１８は、変更した録画終了時間に対応する表示区画数が１より大きくなるか否かの判断を行なう（ステップＳ２１３）。
【０１１２】
ステップＳ２１３において、表示区画数が１より大きくない場合、システム制御回路１８は、処理を完了させる。
【０１１３】
一方、ステップＳ２１３において、表示区画数が１より大きい場合、ＯＳＤ画像生成回路２０は、表示区画数に応じて、列方向の矩形領域を削除する（ステップＳ２１４）。
【０１１４】
つづいて、ＯＳＤ画像生成回路２０は、表示区画数に応じて、列方向の大きさを変更した矩形領域を表示する（ステップＳ２１５）。
【０１１５】
図１２は、簡単録画予約において録画された録画ファイルのうち録画した日付から２週間が経過した録画ファイルを削除する動作のフローチャートである。
【０１１６】
図１２を参照して、システム制御回路１８は、タイマ２６により計測される時刻が午前０時であるか否かの判断を行なう（ステップＳ３０１）。
【０１１７】
ステップＳ３０１において、タイマ２６により計測される時刻が午前０時ではない場合、システム制御回路１８は、午前０時になるまで判断を継続する。
【０１１８】
一方、ステップＳ３０１において、タイマ２６により計測される時刻が午前０時である場合、システム制御回路１８は、情報記録再生装置１００がスタンバイモードであるか否かの判断を行なう（ステップＳ３０２）。
【０１１９】
ステップＳ３０２において、情報記録再生装置１００がスタンバイモードである場合、システム制御回路１８は、パワーオンモードとなる（ステップＳ３０３）。
【０１２０】
そして、システム制御回路１８は、録画した日付から２週間が経過した録画ファイルを削除する動作がスタンバイモードから起動したことをメモリ４に記憶させる（ステップＳ３０４）。
【０１２１】
つづいて、システム制御回路１８は、簡単録画テーブルをハードディスク装置１０から読み出して、簡単録画テーブルに含まれる未チェックの予約データの録画月日をチェックする（ステップＳ３０５）。
【０１２２】
一方、ステップＳ３０２において、情報記録再生装置１００がスタンバイモードでない場合、システム制御回路１８は、処理をステップＳ３０５に移行させる。
【０１２３】
次に、図１３を参照して、システム制御回路１８は、チェックした予約データが録画された日付から２週間が経過する予約データであるか否かの判断を行なう（ステップＳ３０６）。
【０１２４】
ステップＳ３０６において、チェックした予約データが録画された日付から２週間が経過する予約データである場合、システム制御回路１８は、ハードディスク装置１０に格納されている予約データに対応する録画ファイルの削除を行なう（ステップＳ３０７）。
【０１２５】
一方、ステップＳ３０６において、チェックした予約データが録画された日付から２週間が経過する日付の予約データではない場合、システム制御回路１８は、処理をステップＳ３０８に移行させる。
【０１２６】
つづいて、システム制御回路１８は、録画月日の未チェックの予約データがあるか否かの判断を行なう（ステップＳ３０８）。
【０１２７】
ステップＳ３０８において、録画月日の未チェックの予約データがある場合、システム制御回路１８は、処理をステップＳ３０５に戻す。
【０１２８】
一方、ステップＳ３０８において、録画月日の未チェックの予約データがない場合、システム制御回路１８は、録画された日付から２週間が経過する録画ファイルを削除する動作がスタンバイモードから開始されたか否かをメモリ４より判断する（ステップＳ３０９）。
【０１２９】
ステップＳ３０９において、録画された日付から２週間が経過する録画ファイルを削除する動作がスタンバイモードから開始された場合、システム制御回路１８は、パワーオフモードとなる。すなわち、システム制御回路１８は、情報記録再生装置１００をスタンバイモードにする。
【０１３０】
一方、ステップＳ３０９において、録画された日付から２週間が経過する録画ファイルを削除する動作がスタンバイモードから開始されていない場合、システム制御回路１８は、処理を完了させる。
【０１３１】
以上説明したとおり、本発明によれば、録画予約モードとしてメニュー画面上に日付と時間が対応付けられた複数の矩形領域を表示することにより、ユーザによる特定の矩形領域の選択とチャンネルの入力に応じて、容易に特定の日付、時間、ＣＨの番組の録画予約を行なうことができる。
【０１３２】
また、メニュー画面上に先週の録画予約と今週の録画予約の状況を表示することにより、未来の録画予定と過去の録画済みの番組とを一覧することができる。
【０１３３】
さらに、所定の操作を行なうことにより、先々週の録画予約の状況を一覧することができるため、録画してから２週間以内の録画ファイルを確認することができる。
【０１３４】
そして、簡単録画予約の録画予約モードで録画された録画ファイルは、所定の期間経過後（たとえば、２週間経過後）に削除されることにより、ハードディスク装置１０の記憶領域を有効に使うことができる。
【０１３５】
また、簡単録画予約で録画した録画ファイルは、録画フラグを変更することにより、ユーザによる消去入力指示を受けるまで保存することができる。
【０１３６】
また、メニュー画面上の複数の矩形領域において、未再生の番組と再生済みの番組と録画予定の番組と録画中の番組とを表示色により区別することにより、ユーザに録画済みあるいは、録画予定の番組がどのような状態であるかを容易に検索することができる。
【０１３７】
なお、本発明の実施の形態において、図４を用いて説明した管理テーブルと図５を用いて説明した簡単録画テーブルとに基づいて、図２および図３で説明した簡単録画予約のメニュー画面を起動させることに特に限定されない。たとえば、システム制御回路１８は、図４を用いて説明した管理テーブルと図５を用いて説明した簡単録画テーブルとを１つにまとめたテーブル生成する。そして、システム制御回路１８は、生成したテーブルに基づいて、図２および図３を用いて説明した簡単録画予約のメニュー画面を表示させてもよい。
【０１３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３９】
【発明の効果】
構成情報に対して日付と録画時間を対応付けて、入力手段からの入力に応じて、複数の所定形状の領域を構成情報にしたがって行列状に表示するための表示画像生成手段と、録画予約モードにおいて、入力手段からの入力に応じて、メニュー画面上の複数の所定形状の領域のうちのいずれか１つを選択するための選択制御手段と、入力手段からの入力に応じて、入力されたチャンネルおよび選択された所定形状の領域に対応した日付ならびに録画時間とに基づいて予約データを生成して、録画テーブルに登録するための録画予約手段とを含むことにより、ユーザにより容易に録画予約を行なうことができる。
【図面の簡単な説明】
【図１】本発明のデータ記録再生装置の一例である情報記録再生装置１００の構成を示すための機能ブロック図である。
【図２】簡単録画予約の録画予約モードにおけるメニュー画面を示す図である。
【図３】簡単録画予約の録画予約モードにおけるメニュー画面を示す図である。
【図４】簡単録画予約のメニュー画面上に表示される複数の矩形領域に対応する行列の管理テーブルを示す図である。
【図５】簡単録画予約の録画予約モードにおいて生成される簡単録画テーブルを示す図である。
【図６】簡単録画予約および通常録画予約の各録画予約モードにおいて録画された録画ファイルのデータテーブルを示す図である。
【図７】ユーザによる起動入力指示の操作信号に応じて、簡単録画予約のメニュー画面を表示させるときの動作のフローチャートの一例を示す。
【図８】ユーザによる起動入力指示の操作信号に応じて、簡単録画予約のメニュー画面を表示させるときの動作のフローチャートの一例を示す。
【図９】ユーザによる起動入力指示の操作信号に応じて、簡単録画予約のメニュー画面を表示させるときの動作のフローチャートの一例を示す。
【図１０】簡単録画予約のメニュー画面において、ユーザによる操作信号に応じて、録画予約を行なう動作のフローチャートを示す。
【図１１】簡単録画予約のメニュー画面において、ユーザによる操作信号に応じて、録画予約を行なう動作のフローチャートを示す。
【図１２】簡単録画予約において録画された録画ファイルのうち録画してから２週間経過した録画ファイルを削除する動作のフローチャートである。
【図１３】簡単録画予約において録画された録画ファイルのうち録画してから２週間経過した録画ファイルを削除する動作のフローチャートである。
【符号の説明】
２  操作部、４  メモリ、６  チューナ、８  ＭＰＥＧエンコーダ、１０  ハードディスク装置、１２  ＭＰＥＧデコーダ、１４  出力端子、１６  制御部、１８  システム制御回路、２０  ＯＳＤ画像生成回路、２２  ハードディスク、２４  記録・再生ヘッド、２６  タイマ、１００  情報記録再生装置。
【図１】
2005045412.tif 000003
【図２】
2005045412.tif 000004
【図３】
2005045412.tif 000005
【図４】
2005045412.tif 000006
【図５】
2005045412.tif 000007
【図６】
2005045412.tif 000008
【図７】
2005045412.tif 000009
【図８】
2005045412.tif 000010
【図９】
2005045412.tif 000011
【図１０】
2005045412.tif 000012
【図１１】
2005045412.tif 000013
【図１２】
2005045412.tif 000014
【図１３】
2005045412.tif 000015